(57)【要約】【目的】ハンズフリー車載機の通話時における音量を自動設定する「ボリューム制御方法」を提供すること。【構成】通話中においてハンズフリー音声回路に音量設定したとき、通話相手先の電話番号に対応させて該設定したボリューム値を保存し、該通話相手先と再度通話する際、保存してあるボリューム値をハンズフリー音声回路に設定する。【選択図】        図１
2005184738.tif 000002
【特許請求の範囲】
【請求項１】
ハンズフリー車載機のボリューム制御方法において、
通話中においてハンズフリー音声回路にボリューム設定したとき、通話相手先の電話番号に対応させて該設定したボリューム値を保存し、
該通話相手先と再度通話する際、前記保存してあるボリューム値をハンズフリー音声回路に設定する、
ことを特徴とするボリューム制御方法。
【請求項２】
ハンズフリー車載機を搭載する車両の速度と通話相手とに対応させて前記設定したボリューム値を保存し、
通話する際、車速と通話相手に応じたボリューム値を求めて前記ハンズフリー音声回路に設定する、
ことを特徴とする請求項１記載のボリューム制御方法。
【発明の詳細な説明】
【技術分野】
【０００１】
本発明はハンズフリー車載機のボリューム制御方法に係わり、特に自動的に通話相手に適したボリュームをハンズフリー音声回路に設定できるボリューム制御方法に関する。
【背景技術】
【０００２】
自動車電話は、自動車に車載機を搭載し、該車載機に携帯電話機を接続してハンズフリーで電話するようになっている。また、最近では携帯電話機を車載機の載置部に載せなくても、車載機と携帯電話機間をブルーツースなどで無線で接続してハンズフリーで電話できるようになっている。
かかるハンズフリー車載機では、受話音量をボリューム操作で変更できるようになっている。例えば、通話者の発生音量、通話者の使用する携帯電話機の種別(メーカ／機種)、走行状態などにより、受話音声が適正音量より大きい場合には音量を下げ、小さい場合には音量を上げる操作を行なっている。
しかし、受話音量に応じてマニュアルでその都度適正音量にする操作は煩わしい問題がある。このため、自動的に音量を調整する携帯電話機が提案されている(特許文献１参照)。この従来技術では、携帯電話機の着信時の状態（利用時刻、利用場所、車内／車外、屋内／屋外、発呼者など）に応じて音量増幅帯域や音量増減量を記憶しておき、着信時の状態に基づいて音量を自動制御するものである。
【特許文献１】特開２００２−２６１８７８号公報
【発明の開示】
【発明が解決しようとする課題】
【０００３】
従来技術は携帯電話機の着信時の状態（利用時刻、利用場所、車内／車外、屋内／屋外、発呼者など）に応じて音量増幅帯域や音量増減量を自動制御するものであるが、予め設定操作によりこれら音量増幅帯域や音量増減量を設定しておくもので、実際の通話中の音量等に基づいて設定するものではない。
このため、従来技術は設定操作が面倒となると共に、通話中に音量を変更してもその音量を反映できず、実際に即した適切な音量の設定が困難となる問題がある。
また、従来技術は携帯電話機の音量を自動調整するものであるが、車速や通話相手を同時に考慮して適切な音量を自動設定できない問題がある。
また、従来技術は着信時の状態に基づいて音量を自動調整するものであり、発呼時に適用できない問題がある。
以上から、本発明の目的は通話中に変更した最新のボリューム値を用いて自動音量制御ができるようにすることである。
本発明の別の目的は、発呼時の音量制御にも適用できるようにすることである。
本発明の別の目的は、車速や通話相手を同時に考慮して適切な音量を自動設定できるようにすることである。
【課題を解決するための手段】
【０００４】
本発明の第１は、ハンズフリー車載機のボリューム制御方法であり、通話中においてハンズフリー音声回路にボリューム設定したとき、通話相手先の電話番号に対応させて該設定したボリューム値を保存し、該通話相手先と再度通話する際、前記保存してあるボリューム値をハンズフリー音声回路に設定する。
本発明の第２は第１のボリューム制御方法において、ハンズフリー車載機を搭載する車両の速度と通話相手とに対応させて前記設定したボリューム値を保存し、通話する際、車速と通話相手に応じたボリューム値を求めて前記ハンズフリー音声回路に設定する。
【発明の効果】
【０００５】
本発明によれば、通話中においてハンズフリー音声回路にボリューム設定したとき、通話相手先の電話番号に対応させて該設定したボリューム値を保存し、該通話相手先と再度通話する際、前記設定してあるボリューム値をハンズフリー音声回路に設定するようにしたから、実際に即した適切な音量の設定が可能であり、しかも、着信時に限らず発呼時にも自動音量調整が可能となる。
又、本発明によれば、ハンズフリー車載機を搭載する車両の速度と通話相手とに対応させて設定したボリューム値を保存し、通話する際、車速と通話相手に応じたボリューム値を求めてハンズフリー音声回路に設定するようにしたから、車速や通話相手を同時に考慮した適切な音量の自動設定することができる。
【発明を実施するための最良の形態】
【０００６】
本発明の最良の実施形態は、ハンズフリー車載機で通話中において、ユーザがハンズフリー音声回路にボリューム設定したとき、通話相手先の電話番号に対応させて該設定したボリューム値を保存し、該通話相手先と再度通話する際、前記設定してあるボリューム値をハンズフリー音声回路に設定する。また、ハンズフリー車載機を搭載する車両の速度と通話相手とに対応させて前記設定したボリューム値を保存し、通話する際、車速と通話相手に応じたボリューム値を求めてハンズフリー音声回路に設定する。
【実施例１】
【０００７】
図１は本発明のハンズフリー車載機の構成図であり、ハンズフリー車載機１の載置部１１には携帯電話機２が載置されるようになっており、検出部１２は携帯電話機２が載置されたことを検出して制御装置１３に入力する。制御装置１３は、発呼制御処理、着信制御処理、後述するボリューム制御処理などの処理を実行する。通信装置１４は、送受信部を備え、携帯電話機２や図示しない移動電話網、一般公衆網を介して相手電話機と接続して通信できるようになっており、また、制御データを制御装置１３と送受し、音声信号を音声出力回路１５、音声入力回路１６と送受するようになっている。スピーカ１７、マイク１８は音声入出力回路１５，１６を介してそれぞれ音声を出力あるいは入力してハンズフリー通話を可能にしている。表示部１９は制御装置から入力する所定の表示を行ない、操作部２０はキー群２０ａ用いて発呼、着信の操作をしたり、ツマミ２０ｂを用いて音量調整を行なう。メモリ２１は各種固定データのほかに、図２（Ａ）に示すように通話相手の電話番号とボリューム値の対応テーブルが記憶されている。すなわち、制御装置１３は、ユーザがツマミ２０ｂを操作して通話中に音声出力回路１５に音量設定したとき、通話終了時に通話相手先の電話番号に対応させて該設定したボリューム値を対応テーブルに更新登録する。なお、車速センサー３から制御装置１３に車速が入力されているが、車速を用いた音量制御は第２実施例で説明する。
【０００８】
図３は第１実施例の音量制御処理フローである。なお、携帯電話機２が載置部１１に載せられており、ハンズフリー車載機１は通信待機状態にあるものとする。
かかる状態において、発呼あるいは着信があれば、制御装置１３は通信装置１４、携帯電話機１を介して移動網側と周知の発呼処理あるいは着信処理を実行する(ステップ１０１)。ついで、通信相手先の番号を取得する(ステップ１０２)。発呼における通信相手電話番号は操作部２０から入力され、着信時の相手先電話番号は移動網から制御データで送られてくる。
制御装置１３は通信相手に対応するボリューム値を図２（Ａ）のテーブルよりサーチし(ステップ１０３)、該ボリューム値を音声出力回路１５に設定する（ステップ１０４）。
そして、制御装置１３は通信中にボリュームの変更操作があったか監視し(ステップ１０５)、あれば、音声出力回路１５に変更されたボリューム値を設定して音量を変更し、該ボリューム値を保存する(ステップ１０６)。
【０００９】
ついで、通信が完了したか監視し(ステップ１０７)、完了しなければステップ１０５以降の処理を繰り返す。通信が完了すれば、保持しているボリューム値で図２（Ａ）の対応テーブルを更新し(ステップ１０８)、以後、終話処理を行なう(ステップ１０９)。
以上により、対応テーブルに最新の設定ボリューム値を通話相手に対応させて登録することができる。このため、該通信相手と次に通信する際、登録してあるボリューム値を用いて自動的に最適のボリューム設定をすることができる。
なお、一人の通話相手に対応させて最新のＮ回分ボリューム値を登録しておき、その平均値を音声出力回路に設定するように構成することもできる。
【実施例２】
【００１０】
第1実施例は通話相手に対応させてボリューム値を登録した場合である。車速が一定であれば第1実施例でよいが、車速が変化する場合には問題がある。というのは、高速になればユーザは音量を増加し、低速になれば音量を減少するため、第1実施例では車速変化の都度、音量を調整する操作が必要になるからである。
そこで、第2実施例では、図２（Ｂ）に示すようにハンズフリー車載機を搭載する車両の速度と通話相手とに対応させて設定したボリューム値を対応テーブルに保存し、通話する際、該対応テーブルより車速と通話相手に応じたボリューム値を求めて音声出力回路に設定する。図２（Ｂ）では、速度範囲を０〜３０ｋｍ／ｈの第1範囲Ｖ１と、３１〜６０ｋｍ／ｈの第２範囲Ｖ２と、６１〜８０ｋｍ／ｈの第３範囲Ｖ３と、８１ｋm/h以上の第４範囲Ｖ４に区分し、一人の通話相手に対応させて、速度範囲Ｖ１〜Ｖ４それぞれに応じたボリューム値を登録するようになっている。
【００１１】
図４は第２実施例の音量制御処理フローである。なお、携帯電話機2が載置部１１に載せられており、ハンズフリー車載機は通信待機状態にあるものとする。
かかる状態において、発呼あるいは着信があれば、制御装置１３は通信装置１４、携帯電話機１を介して移動網側と周知の発呼処理あるいは着信処理を実行する(ステップ２０１)。ついで、通信相手先の番号を取得すると共に(ステップ２０２)、車速センサー３から車速を取得し、速度範囲を特定する(ステップ２０３)。
相手電話番号及び速度範囲が判明すれば、制御装置13は通信相手および車速に対応するボリューム値を図２（Ｂ）のテーブルよりサーチし(ステップ２０４)、該ボリューム値を音声出力回路１５に設定する（ステップ２０５）。
そして、制御装置１３は通信中にボリュームの変更操作があったか監視し(ステップ２０６)、あれば、音声出力回路１５に変更されたボリューム値を設定して音量を変更し、該ボリューム値と速度範囲を保存する(ステップ２０７)。
【００１２】
ついで、通信が完了したか監視し(ステップ２０８)、完了しなければステップ２０６以降の処理を繰り返す。通信が完了すれば、保持しているボリューム値、速度範囲に基づいて図２（Ｂ）の対応テーブルを更新し(ステップ２０９)、以後、終話処理を行なう(ステップ２１０)。
第2実施例によれば、ハンズフリー車載機を搭載する車両の速度と通話相手とに対応させて設定したボリューム値を保存し、通話する際、車速と通話相手に応じたボリューム値を求めてハンズフリー音声回路に設定するようにしたから、車速や通話相手を同時に考慮した適切な音量の自動設定することができる。
【図面の簡単な説明】
【００１３】
【図１】本発明のハンズフリー車載機の構成図である。
【図２】通話相手の電話番号とボリューム値の対応テーブル、および通話相手と車両の速度とに対応させて設定したボリューム値の対応テーブルである。
【図３】第1実施例の音量制御処理フローである。
【図４】第２実施例の音量制御処理フローである。
【符号の説明】
【００１４】
１  ハンズフリー車載機
２  携帯電話機
３  車速センサー
１１  載置部
１２  検出部
１３  制御装置
１４  通信装置
１５  音声出力回路
１６  音声入力回路
１７  スピーカ
１８  マイク
１９  表示部
２０  操作部
２１  メモリ
【図１】
2005184738.tif 000003
【図２】
2005184738.tif 000004
【図３】
2005184738.tif 000005
【図４】
2005184738.tif 000006